(57)【要約】【課題】被懸ちょう者を仰臥位で昇降、移動を可能にする。【解決手段】  横方向に並べた左右の横架材と、その横架材の両端部及び中間部の上下に縦架材、軸受ユニット取付板、幅決め材並びに固定軸取付板とで構成した矩形の軸受支持フレームと、更にこの軸受支持フレームに支持された複数の駆動ローラと、この駆動ローラを任意の位置でロックする金具及び軸受ユニットを挿入した駆動軸と、前記駆動ローラと吊紐で連動する従動ローラ並びに位置保持具及び回転防止金具を挿入した固定軸とで構成した介護に使用する移動移乗支援用リフトの昇降装置。【選択図】図１
2010148634.tif 000002
【特許請求の範囲】
【請求項１】
横方向に並べた左右の横架材と、その横架材の両端部及び中間部の上下に縦架材、軸受ユニット取付板、幅決め材並びに固定軸取付板とで構成した矩形の軸受支持フレームと、更にこの軸受支持フレームに支持された複数の駆動ローラと、この駆動ローラを任意の位置でロックする金具及び軸受ユニットを挿入した駆動軸と、前記駆動ローラと吊紐で連動する従動ローラ並びに位置保持具及び回転防止金具を挿入した固定軸とで構成した介護に使用する移動移乗支援用リフトの昇降装置。
【請求項２】
前記矩形の軸受支持フレームの左右横架材と平行に夫々駆動軸と固定軸を並べ、その各々の駆動ローラと従動ローラ間に吊紐を橋渡し、両ローラの外側に吊紐を下垂させることを特徴とした請求項１記載の介護に使用する移動移乗支援用リフトの昇降装置。
【発明の詳細な説明】
【技術分野】
【０００１】
本発明は、例えば身体上の障害があり自力での移動又は移乗が困難な人を対象にした移動移乗支援用リフトの昇降装置に関するものである。
【背景技術】
【０００２】
従来の移動移乗支援用リフトの内、レールを天井又は壁に固定した天井走行式リフト（技術文献1 ）
【０００３】
床面に立てた支柱とレールを兼ねた梁で門型フレームを組み、必要な場所に置く据置式リフト（技術文献2）
【０００４】
【非特許文献１】JIS T ９２４１−１ :２００８   移動・移乗支援用リフト  第１部：種類及び一般要求事項  P６ 図６  天井走行式リフトの例
【非特許文献２】JIS T ９２４１−１ :２００８   移動・移乗支援用リフト  第１部：種類及び一般要求事項  P６ 図７  据置式リフトの例
【０００５】
そこで、この技術文献のものはスリング及びハンガーで被懸ちょう者を座位の状態を保ち、フレキシブル装置及び昇降機構で昇降させ、昇降機構部分に組み込んだ車輪並びにレールで横方向に移動する。
【０００６】
昇降機構とハンガーを連結するフレキシブル装置は引張力は支持するがモーメントの負担は出来ない。
【発明の開示】
【発明が解決しようとする課題】
【０００７】
従来の移動移乗支援用リフトを使用して仰臥位の被懸ちょう者の全身又は一部分を吊って介護するとハンガーが障害となる。
【０００８】
又、仰臥位の被懸ちょう者をほぼ水平の状態で安定して昇降、移動する事は、フレキシブル装置で支持している構造上難しい。
【課題を解決するための手段】
【０００９】
本発明は、横方向に並べた左右の横架材と、その横架材の両端部及び中間部の上下に縦架材、軸受ユニット取付板、幅決め材並びに固定軸取付板とで構成した矩形の軸受支持フレームと、更にこの軸受支持フレームに支持された複数の駆動ローラと、この駆動ローラを任意の位置でロックする金具及び軸受ユニットを挿入した駆動軸と、前記駆動ローラと吊紐で連動する従動ローラ並びに位置保持具及び回転防止金具を挿入した固定軸とで構成した介護に使用する移動移乗支援用リフトの昇降装置、請求範囲を特徴としたものである。
【発明の効果】
【００１０】
本発明は、仰臥位の被懸ちょう者の身長、状態により複数の駆、従動ローラ取付位置の変更により、各吊紐に重力方向への引張力のみを負担させることができる。
【００１１】
更に、本発明は、介護に使用する移動移乗支援用リフトの昇降装置を高い位置に取付け、吊紐は仰臥位の被懸ちょう者の左右に垂下し、全身又は一部分を昇降させ介護すると、吊紐のみになり圧迫感がなくなる。
【００１２】
又、本発明は、駆動、従動ローラから垂下した吊紐2本を1組とし、数組で仰臥位の被懸ちょう者を昇降するため、水平の状態に保て、尚その状態で走行フレームに組み込んだ車輪によって走行することが出来る。
【発明を実施するための最良の形態】
【００１３】
以下本発明、介護に使用する移動移乗支援用リフトの昇降装置を実施例として掲げた図面に基ずいて説明すると、図1は昇降装置を示す全体斜視図であって、横方向に並べた左右の横架材１１９，１２０と、その横架材の両端部の上下に縦架材１２１，１２２，１２４，１２５、軸受ユニット取付板１２６，１２７、幅決め材１３１，１３２並びに固定軸取付板１２８，１２９、横架材の中間部の上下に縦架材１２３，１２５、軸受ユニット取付板１２７、中間部幅決め材１３３並びに固定軸取付板１２８及び横架材の長手方向の任意の位置を保持するために軸受ユニット取付板１２７、中間部幅決め材１３３と横方向移動防止板１３４をボルト１３０でつなぎ横架材１１９，１２０を抱き込んで構成した矩形の軸受支持フレームと更にこの軸受支持フレームに支持された複数の駆動ローラ１１３と、この駆動ローラを任意の位置でロックするロック金具１１４及び軸受ユニット１１８を挿入した駆動軸１１１と、前記駆動ローラ１１３と吊紐１３７で連動する従動ローラ１１５並びに位置保持具１１６及び軸回転防止金具１１７を挿入した固定軸とで構成し、駆動軸１１１に駆動装置１３５を取付けている。
【００１４】
図６は吊紐と被懸ちょう者の関係を示す図であって、2本の吊紐１３６，１３７の一端を各駆動ローラ１１３に固定し、他端の内、駆動ローラ側の吊紐１３６は駆動ローラの上側を通り駆動軸１１１と横架材１１９の間へ、従動ローラ１１５側の吊紐１３７は駆動ローラの下側から従動ローラの上側を通り固定軸１１２と横架材１２０の間を経て被懸ちょう者Ｈの左右に垂下させ、各吊紐１３６，１３７の先端に連結具１３８を取付、被懸ちょう者の下を通したスリング１３９と結んでいる。
【００１５】
図９はリフトの側面図であって、床Ｇに垂直に設置した支柱３１１とレール兼用梁３１２で構成した門型フレームのレール部分を、図８に示す横架材１１９，１２０と走行フレーム２１１を図７の梁押え２１２並びに梁受２１３，２１４で一体化し、走行フレームに組み込んだ車輪２１５により左右に走行、並びに介護に使用する移動移乗支援用リフトの昇降装置により昇降することとなる。
【図面の簡単な説明】
【００１６】
【図１】昇降装置の斜視図。
【図２】昇降装置の平面図。
【図３】図１におけるＡ−Ａ線断面図。
【図４】図１におけるＢ−Ｂ線断面図。
【図５】図１におけるＣ−Ｃ線断面図。
【図６】図１におけるＤ−Ｄ線断面図。
【図７】図１におけるＥ−Ｅ線断面図。
【図８】リフトの平面図。
【図９】図８におけるＦ−Ｆ線断面図（リフトの側面図）。
【符号の説明】
【００１７】
１１１  駆動軸
１１２  固定軸
１１３  駆動ローラ
１１４  ロック金具（トルク伝達、位置決め）
１１５  従動ローラ
１１６  位置保持具
１１７  軸回転防止金具
１１８  軸受ユニット
１１９，１２０    横架材 
１２１，１２２    端部上縦架材
１２３            中間部上縦架材
１２４，１２５    下縦架材
１２６，１２７    軸受ユニット取付板
１２８，１２９    固定軸取付板
１３０            ボルト
１３１，１３２    幅決め材
１３３            中間部幅決め材
１３４            横方向移動防止板
１３５            駆動装置
１３６，１３７    吊紐
１３８            連結具
１３９            スリング
Ｈ              被懸ちょう者
２１１            走行フレーム
２１２            梁押え
２１３，２１４    梁受
２１５            車輪
３１１            支柱
３１２            レール兼用梁
Ｇ              床面
【図１】
2010148634.tif 000003
【図２】
2010148634.tif 000004
【図３】
2010148634.tif 000005
【図４】
2010148634.tif 000006
【図５】
2010148634.tif 000007
【図６】
2010148634.tif 000008
【図７】
2010148634.tif 000009
【図８】
2010148634.tif 000010
【図９】
2010148634.tif 000011